(57)【要約】【課題】壁面中空部などで内側に手の入らない箇所に、手すり部材などの取り付け器材をねじで強固に締結できるファスナーを提供する。【解決手段】板状体で断面がコの字型形状をし、その長さが短い上面板部２と長い下面板部３と上面板部２と下面板部３をつなぐ接続部４から構成され、短い上面板部３には長さ方向の端部に向けて開放した切込み溝５を有し、また長い下面板部３には長さ方向に細長い長穴６を持ち、かつその長穴６周辺部には外方向に向かって窪んだ窪み部７を有することを特徴とし、上面板部２と下面板部３をつなぐ接続部４の両側端に上面、下面の２つの板部が延在する方向へ向かって突出するつの状の突起部８を有する。【選択図】　図１
2004100411.tif 000002
【特許請求の範囲】
【請求項１】
板状体で断面がコの字型形状をし、その長さが短い上面板部と長い下面板部と上面板部と下面板部をつなぐ接続部から構成され、短い上面板部には長さ方向の端部に向けて開放した切込み溝を有し、また長い下面板部には長さ方向に細長い長穴を持ち、かつその長穴周辺部には外方向に向かって窪んだ窪み部を有することを特徴とするファスナー。
【請求項２】
上面板部と下面板部をつなぐ接続部の両側端に上面、下面の２つの板部が延在する方向へ向かって突出するつの状の突起部を有するファスナー。
【発明の詳細な説明】
【０００１】
【発明の属する技術分野】
この発明は石膏ボードなどが貼られた壁面中空部などで内側に手の入らない箇所に、手すり部材などの取り付け器材をねじで強固に締結できるファスナーに関するものである。
【０００２】
【従来の技術】
壁面中空部などで内側に手の入らない箇所に、手すり部材などの取り付け器材をねじで取り付ける従来の手段は、壁面に適応穴をあけた後に挿入し、その後手すり部材などの取り付け器材をあてがいねじを捻じ込むことで壁面中空部の裏側で脚部を開脚させる金属製や樹脂製のボードアンカーや、壁面に挿入穴をあけて壁面中空部の裏側に２枚の板状のものを入れて十文字に固定するもの（特開平１１−３１０９６４号）が知られている。
【０００３】
【発明が解決しようとする課題】
ところで、前述の従来の金属製や樹脂製のボードアンカーは壁面裏側での開脚部の接触面が小さいため、過大な締め付けトルクが加わるとファスナーに共回りが発生し、締結不能になるという問題がある。また、脚部を開脚させる際に壁面裏面が石膏ボードのような軟質材の場合は材を傷めてしまい強度を低下させてしまうという問題もある。
【０００４】
壁面に挿入穴をあけて壁面中空部の裏側に２枚の板状のものを入れて十文字に固定するファスナーは構造上、そのファスナーに適合する専用の取り付け器材に限定されるといった問題がある。
【０００５】
また、いずれの場合でも、ねじやボルトを用いて固定する位置は特定の場所に限定されるために自由度が失われ、作業が困難であったり、特定の器材に限定されるという問題がある。
【０００６】
そこで、この発明の課題は、ねじの締結時に共回りの発生がなく、使用するねじは汎用品を用い、ねじの固定位置調整に自由度があり、さまざまな器材の取り付けに使用でき、耐引抜力の優れた確実な締結が得られるファスナーを提供することにある。
【０００７】
【課題を解決するための手段】
上記のような課題を解決するため、請求項１の発明は板状体で断面がコの字型形状をし、その長さが短い上面板部と長い下面板部と上面板部と下面板部をつなぐ接続部からなり、短い上面板部には長さ方向の端部に向けて開放した切込みを持ち、また長い下面板部には細長い長穴を持ち、かつその長穴周辺部には外方向に向かって窪んだ窪み部を有することを特徴としたファスナーである。
【０００８】
請求項２の発明は、上面板部と下面板部をつなぐ接続部の両側端に上面、下面の２つの板部が延在する方向へ向かって突出するつの状の突起部を有する構成を採用したものである。
【０００９】
【発明の実施の形態】
以下、この発明の実施の形態を図示例と共に説明する。
【００１０】
図１に示すように、ファスナー１は板状体で断面がコの字型形状をし、その長さが短い上面板部２と長い下面板部３と上面板部２と下面板部３をつなぐ接続部４から構成され、上面板部２には長さ方向の端部に向けて開放した切込み溝５を有し、また下面板部３には長さ方向に細長い長穴６を持ち、かつその長穴６周辺部には外方向に向かって窪んだ窪み部７とによって形成されている。
【００１１】
また、上面板部２と下面板部３をつなぐ接続部４の両側端に上面、下面の２つの板部が延在する方向へ向かって突出するつの状の突起部８とによって形成されている。
【００１２】
上面板部２の長さ方向の端部に向けて開放した切込み溝５と下面板部３の長さ方向に細長い長穴６とは平行の位置関係にある。
【００１３】
上面板部２の長さ方向の端部に向けて開放した切込み溝５よりも下面板部３の長さ方向に細長い長穴６の方が端部に向けて長く設けられている。
【００１４】
内側に手の入らない壁面中空部、例えば石膏ボード壁９などに、手すり部材などの取り付け器材１０を取り付けるには図２の（ａ）で示すように、石膏ボード壁９に長い下面板部３の通る大きさの開口穴１１をドリルなどの手段によって穿孔する。
【００１５】
次に、図２の（ｂ）で示すように、開口穴１１にファスナー１の下面板部３を挿入し上面板部２と下面板部３で石膏ボード壁９を挟み込み、つの状の突起部８を石膏ボード壁９の開口穴の側壁１２に押し付け食い込ませ、ファスナー１を石膏ボード壁９の開口穴１１に固定する。
【００１６】
さらに、図２の（Ｃ）で示すように、上面板部２の上部から手すり部材などの取り付け器材１０をあてがい、開放した切込み溝５からねじ１３を捻じ込む。
【００１７】
ねじの先端部は石膏ボード壁９を貫通し、開放した切込み溝５に平行の位置関係にある細長い長穴６に螺合させ、ねじ１３を締め付けることで下面板部３を石膏ボード壁９の裏側面に引き付け締結作業を終了する。
【００１８】
前述の締結作業を行う上で、切込み溝５の切込み部内でねじの捻じ込みの作業ができなくてもその切り込み溝５の開放延長線上であれば下面板部３には長さ方向に細長い長穴６が切り込み溝５と平行の位置に存在するのでねじの捻じ込み、螺合、締め付けの一連の作業は可能となる。
【００１９】
またさらにその一連の作業時にファスナー１の長さ方向に直交する方向に向かってねじの捻じ込み方向が左右に多少ふれても、長穴６外方向に向かって窪んだ窪み部７によってねじの先端が長穴６に導かれ、長穴６に容易にねじ先端が螺合する。
【００２０】
この発明のファスナーは上記のような構成であり、実公平７−４０７２４号に開示される断面がコの字型形状のクリップ式ナットや米国特許第３，３７６，９１１に開示される石膏ボード壁用の打ち込み式板ナットに概観上は類するものであるが、本発明の目的のひとつである固定位置調整の自由度を得ることについては着眼されていない。当然その構成も異なったものとなっている。
【００２１】
このファスナー１を使用する、ねじ３箇所止めの手すりブラケットの施工例を例にとってさらに説明する。一般市販される手すりブラケットの大きさはまちまちであり当然のことながら、使用するねじ穴も一定の位置ではない。このファスナー１は切込み溝５の切込み部内でねじの捻じ込みの作業ができなくてもその切り込み溝５の開放延長線上であれば下面板部３には長さ方向に細長い長穴６が切り込み溝５と平行の位置に存在するのでねじの捻じ込み、螺合、締め付けの一連の作業は可能となる。手すりブラケットの直径やねじ穴位置を考えなくてもねじの締結固定が可能である。また、ねじ穴が２箇所、４箇所であっても開口穴１１に同数個を挟み込むことで使用可能である。
【００２２】
加えて、手すりブラケットをねじ止めするとねじ回転方向に同類ファスナーも共回りしてしまい、ねじ締結固定作業が困難になるが、この発明のファスナー１は壁を２枚の板で内外からはさみこみ、その上、つの状の突起部８を石膏ボード壁９の開口穴の側壁１２に押し付け食い込ませ、固定されるために共回りの発生が無く、安心したねじ締結作業を行うことが可能となる。
【００２３】
【発明の効果】
以上のように、手すりブラケットなどの取り付け器材の大きさやねじ位置が異なっていても、この発明のファスナーによれば固定位置の自由度が高く、幅広い器材に対して使用することができる。
【００２４】
また、内側に手の入らない壁面中空箇所を２枚の板ではさみ込み、つの状の突起部８で固定し、表側にはねじの進入を助けるガイド機構をもつ開放した切込み溝５を持ち、裏側に挿入する下面板部にはねじ挿通長穴６を設け表側からねじを捻じ込むことで壁を内外からはさみこむので、内側に手の入らない箇所に手すり部材などの取り付け器材をねじ止めする場合にねじ挿通長穴を設けた下面板部に共回りの発生が無く、締結不能の事態に陥ることがない。
【００２５】
そして、前述のとおり壁を２枚の板で内外からはさみこみ、下面板部のねじ挿通長穴にねじで手すり部材などの取り付け器材を締結するので、締結したねじの耐引力が大幅に向上する。
【図面の簡単な説明】
【図１】この発明のファスナーを示す斜視図
【図２】（ａ）と（ｂ）と（ｃ）は被取り付け物に対するファスナーの取り
付け工程を示す断面図
【図３】取り付け例の中空部裏面を示す背面図
【図４】取り付け例の中空部表面と取り付け器材を示す正面図
【図５】実公平７−４０７２４号に図示されるファスナーを示す図面
【図６】米国特許第３，３７６，９１１号に図示されるファスナーを示す図
面
【符号の説明】
１．ファスナー
２．上面板部
３．下面板部
４．接続部
５．開放した切込み溝
６．細長い長穴
７．窪み部
８．つの状の突起部
９．石膏ボード壁
１０．取り付け器材
１１．開口穴
１２．開口穴の側壁
１３．ねじ
【図１】
2004100411.tif 000003
【図２】
2004100411.tif 000004
【図２】
2004100411.tif 000005
【図２】
2004100411.tif 000006
【図３】
2004100411.tif 000007
【図４】
2004100411.tif 000008
【図５】
2004100411.tif 000009
【図６】
2004100411.tif 000010
【手続補正書】
【提出日】平成14年11月7日(2002.11.7)
【手続補正１】
【補正対象書類名】図面
【補正対象項目名】全図
【補正方法】変更
【補正の内容】
【図１】
2004100411.tif 000011
【図２】
2004100411.tif 000012
【図３】
2004100411.tif 000013
【図４】
2004100411.tif 000014
【図５】
2004100411.tif 000015
【図６】
2004100411.tif 000016